(57)【要約】【課題】表面化粧材として装飾材シートと磁性体を積層すると、磁性壁面材シートに、意匠性の材料を化粧表装材とで積層した壁装材に、マグネットが簡単に強力に吸着できる化粧材シートに関するものである。【解決手段】マグネット体を吸着させることができる装飾性表装材シートにおいて、当該化粧材シート面の裏面にスチール箔を接着剤によって貼着して、さらに当該装飾材を貼着した積層体を形成した０.１ｍｍ〜１.５ｍｍ、の磁性装飾シートであって、強力な磁気吸着力を発揮させるスチール箔の表面に化粧シートと、裏面に安定シートとで積層されて、磁力吸着力を持つマグネット装飾シートとして、所望の基体表面に貼着できるようになっている装飾性マグネット吸着化粧シートである。【選択図】図１
2017071103.tif 000002
【特許請求の範囲】
【請求項１】
マグネット体を吸着させることができる装飾性表装材シートにおいて、当該化粧材シート面の裏面にスチール箔を接着剤によって貼着して、さらに当該装飾材を貼着した積層体を形成した０．５〜２ｍｍの磁性装飾シートであって、強力な磁気吸着力を発揮させるスチール箔の表面に化粧シートと、裏面に保護シートとで積層されて、磁力吸着力を持つマグネット装飾シートとして、所望の基体表面に貼着できることを特徴とする装飾性マグネット吸着化粧シート。
【請求項２】
マグネットを貼着できる表装材を積層した装飾性表装材シートにおいて、当該表装材シートの表面には、生地色から濃厚色、又は自然素材の質感をもつ模様を施した０．０３〜１ｍｍの突板、又は種々の幾何学模様、又は自然を表した模様をプリントした布体、或は樹脂フイルム、或は紙であって、磁気吸着力を持つ表面体の５０〜２００ミクロンのスチール箔に張って、裏面に１５〜１００ミクロンの保護膜である防湿シート、又は防錆シート、又は接着シートを貼っていることを特徴とする請求項１に記載の装飾性マグネット吸着化粧シート。
【請求項３】
突板、又は布体、又は紙・樹脂フイルムである表装材は、紙・樹脂フイルムとして、無地、又は模様の入った多色のプリントされた紙・樹脂フイルムで厚みを０．０３〜１ｍｍで、突板として木目、又は節をもって色彩の異なる種類の木材の突板で、布体として、天然繊維、化学繊維、混紡繊維から選ばれた、種々の色彩の無地布、或は柄、或は模様の入った布体であることを特徴とする請求項１、又は請求項２に記載の装飾性マグネット吸着化粧シート。
【請求項４】
磁気吸着力を持つスチール箔は、磁気吸着力を発揮させる強磁性体として、平面平滑度±１〜５ｍμを持つ５０〜２００ミクロンの厚さで、４００〜１２７０ｍｍの幅であることを特徴とする請求項１〜請求項３のいずれかに記載の装飾性マグネット吸着化粧シート。
【請求項５】
生地色から濃厚色、又は自然素材の木質の質感をもつ模様、或は種々の幾何学模様、又は自然を表した模様を施した、又は単色の白色、黒色、茶色、及び木目、節が分かる木質表面を示した磁性壁の表面になるように、前記シート基体の表面に装飾を持たせ、さらにマグネットを簡単に貼着できる磁性壁面材シートで、装飾表装材とスチール箔と保護シートとを積層した磁性壁面材になって、全体の厚さ０.１ｍｍ〜１.５ｍｍ、幅４５０〜１２７０ｍｍ、のシート状体、又はシート状を巻いたロール状体にしていることを特徴とする請求項１〜請求項４のいずれかに記載の装飾性マグネット吸着化粧シート。
【発明の詳細な説明】
【技術分野】
【０００１】
本発明は、壁面基体の表面に強磁性体とからなる、磁気吸着力を持つマグネットを貼着して用いられる磁性装材に関するものであって、詳しくは、磁気吸着力で貼着するマグネットの吸着できる表面装飾性化粧ボード板に関するものである。
【背景技術】
【０００２】
磁性壁装材に関する先行技術としては、磁性壁装材と同義の磁性壁面材には、強磁性体粉末である硬質磁性材料粉末（永久磁石材料粉）又は軟磁性体粉末（磁石の被着体材料粉）と少量の粘結剤である特定の有機高分子エラストマーを主たる組成とし、厚みを限定した可撓性の多極着磁を施したマグネットシート又は可撓性の磁石の被着体シートでマグネットシートを使用する。
【０００３】
硬質磁性材料粉末（永久磁石材料粉）を用いた防火磁性壁面材又は、軟磁性体粉末（磁石の被着体材料粉）を用いた磁性壁面材の何れか磁性壁面材を、壁下地材に積層させて磁性壁を形成している。その状態からさらに、硬質磁性材料粉末（永久磁石材料粉）を用いて多極着磁を施した防火磁性壁面材に対しては軟磁性体粉末（磁石の被着体材料粉）を用いた磁性壁面材からなる磁性表示片を、軟磁性体粉末（磁石の被着体材料粉）を用いた磁性壁面材に対しては硬質磁性材料粉末（永久磁石材料粉）を用いて多極着磁を施した磁性壁面材からなる磁性表示片を、夫々、上記磁性壁に磁気吸着により着脱自在に取り付ける構成が開示された。
【０００４】
従って、磁性壁面材の表面に表装材を積層する場合は、表装材の材質と磁性壁面材及び表装材において、強力にマグネットが吸着するものは存在していない。
【先行技術文献】
【特許文献】
【０００５】
【特許文献１】特許第４１５３８９１号公報
【特許文献２】特開平０７−１２４７９５号公報
【特許文献３】特開２００５−２９０７０７号公報
【特許文献４】特開２０１３−２１３３６９号公報
【発明の概要】
【発明が解決しようとする課題】
【０００６】
壁面にマグネットなどを強力に吸着させる技術を用いた表装材を使用する場合は、特定の材質で特定の厚み以上のものを用いる必要性が生じている。市場の要望は、壁面にその特定条件を緩和した条件のものでも使用できる磁性壁面材を求められている。具体的には、磁性壁面材に、市販の壁紙を表装材として積層した磁性壁装材に磁性体であるマグネットなどを吸着させる化粧材の要望である。磁性体が吸着して、種々のものを貼り合わせることにも適合したものを、簡単に装飾板の壁面に強力に貼り合わせることができることになる。そこで、本発明は、マグネットを簡単に強力に壁面に吸着できるようになって、この不都合を解消させることを課題とする。
【課題を解決するための手段】
【０００７】
マグネット体を吸着させることができる装飾性表装材シートにおいて、当該化粧材シート面の裏面にスチール箔を接着剤によって貼着して、さらに当該装飾材を貼着した積層体を形成した０.１ｍｍ〜１.５ｍｍの磁性装飾シートであって、強力な磁気吸着力を発揮させるスチール箔の表面に化粧シートと、裏面に安定シートとで積層されて、磁力吸着力を持つマグネット装飾シートとして、所望の基体表面に貼着できるようになっている装飾性マグネット吸着化粧シートである。
【０００８】
マグネットを貼着できる表装材を積層した装飾性表装材シートにおいて、当該表装材シートの表面には、生地色から濃厚色、又は自然素材の木質の質感をもつ模様を施した０．０３〜１ｍｍの突板、又は布体、又は樹脂フイルム、又は紙であって、磁気吸着力を持つ表面体の３０〜１００ミクロンのスチール箔に張って、裏面に１５〜１００ミクロンの防湿シート、又は防錆シート、又は接着シートを貼っている。
【０００９】
突板、又は布体、又は樹脂フイルムである表装材は、紙・樹脂フイルムとして、無地、又は模様の入った多色のプリントされた紙・樹脂フイルムで厚みを０．０３〜１ｍｍで、突板として木目、又は節をもって色彩の異なる種類の木材の突板で、布体として、天然繊維、化学繊維、混紡繊維から選ばれた、種々の色彩の無地布、或は柄、或は模様の入った布体である。
【００１０】
磁気吸着力を持つスチール箔は、磁気吸着力を発揮させる強磁性体として、平面平滑度±１〜５ｍμを持つ５０〜２００ミクロンの厚さで、４００〜１２７０ｍｍの幅である。
【００１１】
生地色から濃厚色、又は自然素材の木質の質感をもつ模様を施した磁性壁面材に用いた磁性壁の表面に、単色の白色、黒色、茶色、及び木目、節が分かる木質表面を示して、シート基体の表面を、装飾を持たせ、さらに種々の磁性体をもつ器具を吸着させるために、磁性壁面材、或は表装材を積層または塗布した磁性壁面材にマグネットを簡単に貼着できる、全体の厚さ０.１ｍｍ〜１.５ｍｍ、幅４５０〜１２７０ｍｍ、のシート状体、又はシート状を巻いたロール状体になっている。
【発明の効果】
【００１２】
本発明は、表装材の裏面に接着剤を用いて強磁性体薄板（スチール箔など）を積層し、強磁性体薄板の裏面にマグネットボードを磁気吸着力で貼着又は、接着剤を用いて積層又は塗布によって形成してなる磁性表装材とすること、即ち、マグネットボード間に強磁性体薄板を介在さすことで、強磁性体製の壁基体に磁気吸着させた場合に強い磁気吸着力が得られ、この効果によってマグネットボードの厚みを薄く出来ることから、磁性体のマグネットを強力に吸着して物品の掲示などの大きな効果を得る。
【００１３】
表装材を積層した磁性体ボードの背面に接着剤を用いて積層したものは、表装材を変更する場合はマグネットが新しく表装材を積層した吸着ボードを装飾表面に強力に磁気貼着することになるに対して、装飾性化粧表装材を積層した強磁性体薄板から成る磁性表装材シートになった。
【図面の簡単な説明】
【００１４】
【図１】装飾性マグネット吸着化粧板シートのロール巻姿図
【図２】装飾性マグネット吸着化粧板シートの断面図
【図３】装飾性マグネット吸着化粧板シートの表面の模様の図
【発明を実施するための形態】
【００１５】
以下、本発明の実施の形態を図に沿って説明する。
図１は、本発明の磁性壁装材の１例を示すもので、強磁性体製の壁基体と、図２の磁性防火壁装材の構成を示す模式図（断面図）である。
図３では、表装材の裏面に接着層を介して強磁性体薄板を積層したものを、片面より多極着磁を施したマグネットボードに磁気吸着力で貼着しているが、両面より多極着磁を施したマグネットも使用出来るし、又、接着剤を用いても良い。
【実施例１】
【００１６】
壁面基体の表面に、マグネットを貼着できる表装材を積層した装飾性表装材において、表装材の表面には、自然素材の木質の質感をもつ模様を施した０．７ｍｍの突板であって、磁気吸着力を持つ表面体の５０ミクロンのスチール箔に張って、木質材料を５ｍｍに接着剤によって積層し、最終裏面に７６ミクロンの防湿シート貼っている装飾性マグネット吸着化粧材であった。
【００１７】
突板である表装材は、厚みを０．７ｍｍの突板として木目、又は節をもって色彩の異なる種類の木材の突板にした。磁気吸着力を持つスチール箔は、強力な磁気吸着力を発揮させる強磁性体として、平面平滑度±３ｍμを持つ５０ミクロンの厚さで、４５０ｍｍの幅のものを使用した。木質材料は、合板から選ばれたものであって、５ｍｍの厚さ、４５０ｍｍの幅の板状ボードになった。
【００１８】
表装材とスチール箔と木質材料との積層体を貼り合わせる接着剤は、ウレタン樹脂系塗料であって、各表面に約５ミクロン程度塗布して加熱加圧した。自然素材の木質の質感をもつ模様を施したボード材を表面に木目、節が分かる木質表面を示した。
【００１９】
壁面基体の表面を、装飾を持たせ、さらに種々の磁性体をもつ器具を吸着させるために、磁性壁面材を積層または塗布した磁性壁面材にマグネットを簡単に貼着できる、全体の厚さ７ｍｍ、幅４５０ｍｍ、長さ９００ｍｍの形状であるボード状体になった。
【００２０】
壁面に簡単に張り付けされた装飾性表装材にマグネット体を吸着させることができる、当該化粧材面の裏面にスチール箔を接着剤によって貼着して、さらに当該突板を貼着した積層体を形成してなる磁性壁装材であって、前記突板化粧材の表面に強力な磁気吸着力を発揮させるスチール箔の強磁性体を化粧薄板と耐熱材とで積層されて、マグネットの磁力基体を強力な吸着力で壁面に貼着できる装飾性マグネット吸着化粧材であった。
【実施例２】
【００２１】
壁面基体の表面に、マグネットを貼着できる表装材を積層した装飾性表装材において、表装材の表面には、生地色から濃厚色、又は自然素材の木質の質感をもつ模様を施した０．５ｍｍ厚さの紙体であって、磁気吸着力を持つ表面体の５０ミクロンのスチール箔に張って、合板材料を５ｍｍに接着剤によって積層し、最終裏面に７６ミクロンの防湿シート貼った。
【００２２】
木質をプリントした紙体である表装材は、厚みを０．５ｍｍで、木目、又は節をもって色彩の異なる木質をプリントした紙体であった。磁気吸着力を持つスチール箔は、強力な磁気吸着力を発揮させる強磁性体として、平面平滑度±１〜３ｍμを持つ５０ミクロンの厚さで、９００ｍｍの幅であって、６ｍｍの厚さ、１８００ｍｍの幅の板状ボードになった。
【００２３】
表装材とスチール箔と木質材料との積層体を貼り合わせる接着剤は、ウレタン樹脂系塗料であって、各表面に１〜１０ミクロン塗布して加熱加圧する。自然素材の木質の質感をもつ模様のプリントを施した紙体とボード材を磁性壁面材に用いた磁性壁の表面に、木目、節の模様が分かる木質表面にした。
【００２４】
壁面基体の表面を、装飾を持たせ、さらに種々の磁性体をもつ器具を吸着させるために、表装材を積層または塗布した磁性壁面材にマグネットを簡単に貼着できる、全体の厚さ５０ｍｍ、幅９００ｍｍ、長さ１８００ｍｍの形状であるボード状体になった。
【００２５】
壁面に簡単に張り付けされた装飾性表装材にマグネット体を吸着させることができる、当該化粧材面の裏面にスチール箔を接着剤によって貼着して、さらに当該合板を貼着した積層体を形成してなる磁性壁装材であって、前記化粧材の表面に強力な磁気吸着力を発揮させるスチール箔の強磁性体を化粧薄板とで積層されて、マグネットの磁力基体を強力な吸着力で壁面に貼着できる装飾性マグネット吸着化粧材であった。
【実施例３】
【００２６】
壁面基体の表面に、マグネットを貼着できる表装材を積層した装飾性表装材において、表装材の表面には、生地色の樹脂フイルムであって、磁気吸着力を持つ表面体の５０ミクロンのスチール箔に張って裏面に合板の木質材料を３ｍｍに接着剤によって積層し、最終裏面に７６ミクロンの防湿シート貼った。
【００２７】
樹脂フイルムとして、無地、又は模様の入った白色のプリントされた樹脂フイルムであった。磁気吸着力を持つスチール箔は、強力な磁気吸着力を発揮させる強磁性体として、平面平滑度±１ｍμを持つ５０ミクロンの厚さで、４５０ｍｍの幅であった。木質材料は、３ｍｍの厚さ、１０００ｍｍの幅の板状ボードになっている材にした。
【００２８】
表装材とスチール箔と木質材料との積層体を貼り合わせる接着剤は、ウレタン樹脂系塗料であって、各表面に５０ミクロン程度に塗布して加熱加圧した。生地色模様を施した樹脂フイルムと木質材を磁性壁面材に用いた装飾磁性壁の表面に、単色の白色プリントされた樹脂フイルムで木質表面を示した。
【００２９】
壁面基体の表面を、装飾を持たせ、さらに種々の磁性体をもつ器具を吸着させるために、表装材を積層または塗布した磁性壁面材にマグネットを簡単に貼着できる、全体の厚さ５ｍｍ、幅４５０ｍｍ、長さ１０００ｍｍの形状であるボード状体になった。この化粧ボードを家具の表面、側面に使用した。家具の側面に書類などをマグネットによって貼ることができた。
【００３０】
壁面に簡単に張り付けされた装飾性表装材にマグネット体を吸着させることができる、当該化粧材面の裏面にスチール箔を接着剤によって貼着して、さらに当該合板を貼着した積層体を形成してなる磁性壁装材であって、前記化粧材の表面に強力な磁気吸着力を発揮させるスチール箔の強磁性体を化粧薄板と耐熱材とで積層されて、マグネットの磁力基体を強力な吸着力で壁面に貼着できる装飾性マグネット吸着化粧材であった。
【符号の説明】
【００３１】
１ 装飾性マグネット吸着化粧シート
２ 化粧材シート
３ 接着剤（接着剤又は粘着剤）層
４ スチール箔
５ マグネット（磁石）
６ 防湿シート及び保護フイルム
【図１】
2017071103.tif 000003
【図２】
2017071103.tif 000004
【図３】
2017071103.tif 000005